(57)【要約】【課題】  移動体通信端末における外観デザインの新たな利用法を提供することである。【解決手段】  携帯電話機のケーシングにおける外部露出部分には、電子ペーパーからなる表示パネルが貼り付けられている。この携帯電話機においてアプリケーションプログラムが起動すると、そのメインプログラム部分の内容に従ったアプリケーションがユーザー１に提供される（Ｓ４）。更に、その表示制御プログラム部分の内容に従って、アプリケーションプログラム実行管理部に対して表示制御命令が送られると、電話機プラットフォームの主制御部は、その表示制御命令に係るケーシング画像データをＲＡＭから読み出し（Ｓ５）、このデータに基づくケーシング画像が表示パネルに表示される。これにより、アプリケーションプログラムの実行中に、携帯電話機の外観デザインをそのメインプログラム部分の内容に関係したものとすることができる。【選択図】  図１
2005210322.tif 000002
【特許請求の範囲】
【請求項１】
外壁部を構成するケーシングと、
画像データを記憶する記憶手段と、
プログラムを実行して該プログラムの内容に従った制御を行う制御手段とを備えた移動体通信端末において、
上記記憶手段に記憶された画像データに基づく画像の表示状態を無給電状態でも維持可能な無給電画像表示手段を、上記ケーシングにおける外部に露出した部分の少なくとも一部に有し、
該画像データは、上記制御手段により実行可能な特定プログラムに関連付けられた状態で該記憶手段に記憶されており、
上記制御手段は、特定プログラムの実行中、該特定プログラムに関連づけれた画像データを該記憶手段から読み出し、該画像データに基づく画像を該無給電画像表示手段に表示させる制御を行うことを特徴とする移動体通信端末。
【請求項２】
請求項１の移動体通信端末において、
上記特定プログラムを外部記憶媒体から取得する際、該外部記憶媒体又は他の外部記憶媒体から、該特定プログラムに関連付けられた上記無給電画像表示手段に表示される画像の画像データを取得し、これを上記記憶手段に保存する画像データ取得保存手段を有することを特徴とする移動体通信端末。
【請求項３】
外壁部を構成するケーシングと、
画像データを記憶する記憶手段と、
該ケーシングにおける外部に露出した部分の一部に、画像の表示状態を無給電状態では維持不可能な給電画像表示手段とを備えた移動体通信端末において、
上記記憶手段に記憶された画像データに基づく画像の表示状態を無給電状態でも維持可能な無給電画像表示手段を、上記ケーシングにおける外部に露出した部分の他部の少なくとも一部に有し、
該画像データは、上記給電画像表示手段に表示される画像に関連付けられた状態で該記憶手段に記憶されており、
該給電画像表示手段に画像が表示されているとき、該記憶手段から該画像に関連付けられた画像データを読み出し、該画像データに基づく画像を該無給電画像表示手段に表示する制御を行う制御手段を有することを特徴とする移動体通信端末。
【請求項４】
請求項３の移動体通信端末において、
上記給電画像表示手段に表示される画像の画像データを外部記憶媒体から取得する際、該外部記憶媒体又は他の外部記憶媒体から、該画像データに関連づけれれた上記無給電画像表示手段に表示される画像の画像データを取得し、これを上記記憶手段に保存する画像データ取得保存手段を有することを特徴とする移動体通信端末。
【請求項５】
データ記憶手段に記憶されたデータを、通信ネットワークを介して、請求項２の移動体通信端末に送信するサーバ装置において、
上記データ記憶手段は、上記特定プログラムのデータとともに、これに関連付けられた状態で上記無給電画像表示手段に表示される画像の画像データを記憶しており、
上記移動体通信端末から上記通信ネットワークを介して受信したプログラム取得要求に応じ、該プログラム取得要求に係る特定プログラムのデータ及びこれに関連づけれた画像データを該データ記憶手段から読み出し、これらのデータを該通信ネットワークを介して該移動体通信端末に送信するデータ送信手段を有することを特徴とするサーバ装置。
【請求項６】
データ記憶手段に記憶されたデータを、通信ネットワークを介して、請求項４の移動体通信端末に送信するサーバ装置において、
上記データ記憶手段は、上記給電画像表示手段に表示される画像の画像データとともに、これに関連付けられた状態で上記無給電画像表示手段に表示される画像の画像データを記憶しており、
上記移動体通信端末から上記通信ネットワークを介して受信した該給電画像表示手段に表示される画像の画像データについての画像取得要求に応じ、該画像取得要求に係る画像データ及びこれに関連づけれた該無給電画像表示手段に表示される画像の画像データを該データ記憶手段から読み出し、これらのデータを該通信ネットワークを介して該移動体通信端末に送信するデータ送信手段を有することを特徴とするサーバ装置。
【請求項７】
請求項２の移動体通信端末と、これに通信ネットワークを介して接続される請求項５のサーバ装置とから構成されることを特徴とする移動体通信システム。
【請求項８】
請求項４の移動体通信端末と、これに通信ネットワークを介して接続される請求項６のサーバ装置とから構成されることを特徴とする移動体通信システム。
【発明の詳細な説明】
【技術分野】
【０００１】
本発明は、移動体通信端末、この移動体通信端末に対しネットワークを介してデータを提供するサーバ装置、及び、これらを含む移動体通信システムに関するものである。
【背景技術】
【０００２】
移動体通信端末のケーシング表面には、様々なデザインが施されている。ケーシング表面のデザインは、移動体通信端末の外観デザインに大きな影響を与えるため、ファッションあるいはインテリアとして認識しているユーザーは多い。そのため、自分の移動体通信端末の外観デザインを自分の希望に沿ったものに手軽に変更したいというユーザーからの要望が強い。この要望に応えるべく、従来から、移動体通信端末の外観デザインの変更を手軽に行うための手法がいくつか提案されている。
例えば、携帯電話機（移動体通信端末）においては、そのケーシングの一部に透明な付属品を着脱可能に設け、この付属品とケーシングとの間に挟み込んだシートに付された画像が付属品を通して外部から目視できるようにした、いわゆる着せ替え可能なものが提案されている（特許文献１）。この携帯電話機では、電話機本体に装着されているシートを、これとは異なる画像が付された別のシートに交換することで、携帯電話機の外観デザインを変更することが可能である。また、例えば、携帯電話機のケーシング表面を覆っている表面カバーを別の表面カバーに交換することで、携帯電話機の外観デザインを変更するものも提案されている。
また、例えば、特許文献２には、ケーシングの操作／表示パネル面に液晶表示器が取り付けられた携帯電話機が開示されている。この携帯電話機では、液晶表示器に表示される画像の画像データを変更するだけで、その液晶表示器に表示される画像をユーザーが手軽に切り替えることが可能である。
【０００３】
しかし、上記特許文献１に開示の携帯電話機においてその外観デザインを変えるには、別のシートや表面カバー（交換用部品）が必要になる。そのため、ユーザーは、外観デザインを変える際には常にその交換用部品を所持している必要がある。その結果、例えば外出先で外観デザインを変えようとする場合、ユーザーは、交換用部品を外出先まで持って行くことが必要になる。また、ユーザーが外観デザインを変えたいと思ったときに、手元に交換用部品がなくて外観デザインを変えることができない事態も生じ得る。したがって、従来の手法は、ユーザーにとって使い勝手が良いものとは言い難かった。また、上述した従来の手法では、携帯電話機の外観デザインを変える際に、ユーザーに対して、交換用部品を交換するという煩雑な作業を強いることになる。このような煩雑な作業をユーザーに強いることになる点も、ユーザーにとって使い勝手が良いものとは言い難い原因の１つである。
なお、携帯電話機の外観デザインを変える場合に限らず、上記従来の手法を広く移動体通信端末の外観デザインを変える場合に転用した場合でも、同様に、ユーザーにとって使い勝手が良いものとは言い難い。
【０００４】
これに対し、上記特許文献２に開示の携帯電話機においては、上述のように、画像データを変更するだけで、その液晶表示器に表示される画像をユーザーが手軽に切り替えることが可能である。よって、ユーザーが液晶表示器の表示画像を切り替えるための簡単な作業を行えば、ユーザーの使い勝手よく携帯電話機の外観を変更することは可能である。しかし、この携帯電話機の液晶表示器の表示画像を、ファッション等として認識されるような外観デザインとして機能させることは実際上困難であると言える。この点について詳しく説明すると、ファッション等として認識されるような外観デザインとしての機能を果たすには、その外観デザインを構成する画像が十分に長い間表示され続ける必要がある。しかし、液晶表示器は、これに給電がなされていなければ画像を表示することができない。したがって、この液晶表示器の表示画像をファッション等として認識されるような外観デザインとして機能させるには、液晶表示器への給電を長期間継続する必要がある。ところが、一般に、携帯電話機には、通話、データの演算処理、データ通信などの本来の機能をなるべく長い時間発揮できるように、無駄な電力消費を抑えなければならないという制約がある。そのため、ファッション等として認識されるような外観デザインとしての機能を果たすような画像を長時間表示させ続けるべく、液晶表示器への給電を長期間継続することは、その携帯電話機の本来の機能を発揮させる時間を大きく削減されてしまうので、実際上極めて困難である。なお、携帯電話機に限らず、給電されていなければ画像を表示できない表示手段を備えた他の移動体通信端末においても、その表示手段に表示される画像を、ファッション等として認識されるような外観デザインとして機能させることは実際上困難である。
【０００５】
【特許文献１】特開２００３−１４３２８０号公報
【特許文献２】特開２００３−６１１３９号公報
【発明の開示】
【発明が解決しようとする課題】
【０００６】
本出願人は、特願２００４−１３５９１号において、ユーザーの使い勝手よく、移動体通信端末の外観デザインの変更を行うことができる移動体通信端末を提案した。この移動体通信端末は、外壁部を構成するケーシングの少なくとも一部に、記憶手段に記憶された画像データに基づく画像の表示状態を無給電状態でも維持可能な無給電画像表示手段が設けられている。この移動体通信端末によれば、電力を消費することなく、その外壁部の一部に画像を長期間に表示させ続けることができる。よって、無給電画像表示手段に表示される画像を、ファッション等として認識されるような移動体通信端末の外観デザインとして機能させることが可能となる。しかも、無給電画像表示手段に表示される画像は、ユーザーが手軽に切り替えることができる。したがって、ユーザーの使い勝手よく、移動体通信端末の外観デザインの変更を行うことができる。
加えて、この移動体通信端末は、制御部によって無給電画像表示手段に表示される画像の画像データを変更できる構成とすれば、ユーザー操作がなくても、移動体通信端末の外観デザインを自由に変更することが可能である。
【０００７】
本発明は、上記特願２００４−１３５９１号で提案した移動体通信端末の改良に係り、その目的とするところは、移動体通信端末における外観デザインの新たな利用法を提供することが可能な移動体通信端末、サーバ装置及び移動体通信システムを提供することである。
【課題を解決するための手段】
【０００８】
上記目的を達成するために、請求項１の発明は、外壁部を構成するケーシングと、画像データを記憶する記憶手段と、プログラムを実行して該プログラムの内容に従った制御を行う制御手段とを備えた移動体通信端末において、上記記憶手段に記憶された画像データに基づく画像の表示状態を無給電状態でも維持可能な無給電画像表示手段を、上記ケーシングにおける外部に露出した部分の少なくとも一部に有し、該画像データは、上記制御手段により実行可能な特定プログラムに関連付けられた状態で該記憶手段に記憶されており、上記制御手段は、特定プログラムの実行中、該特定プログラムに関連づけれた画像データを該記憶手段から読み出し、該画像データに基づく画像を該無給電画像表示手段に表示させる制御を行うことを特徴とするものである。
この移動体通信端末においては、ケーシングの外部露出部分に設けられる無給電画像表示手段に表示された画像の表示状態が無給電状態でも維持される。よって、電力を消費することなく、その外壁部の一部に画像を長期間に表示させ続けることができる。したがって、無給電画像表示手段に表示される画像を、ファッション等として認識されるような移動体通信端末の外観デザインとして機能させることが可能となる。しかも、本移動体通信端末は、制御手段が特定プログラムを実行中、この特定プログラムに関連づけれた画像データに基づく画像が無給電画像表示手段に表示される。したがって、移動体通信端末の外観デザインを、制御手段が実行している特定プログラムに関係したものにすることが可能になる。
【０００９】
また、請求項２の発明は、請求項１の移動体通信端末において、上記特定プログラムを外部記憶媒体から取得する際、該外部記憶媒体又は他の外部記憶媒体から、該特定プログラムに関連付けられた上記無給電画像表示手段に表示される画像の画像データを取得し、これを上記記憶手段に保存する画像データ取得保存手段を有することを特徴とするものである。
この移動体通信端末においては、特定プログラムを取得する際、その特定プログラムとともに、このプログラム実行中に無給電画像表示手段に表示される画像の画像データも取得することができる。これにより、特定プログラムの開発者が意図する画像を、その特定プログラム実行中に移動体通信端末の外観デザインとして適切に表示させることができる。
【００１０】
また、請求項３の発明は、外壁部を構成するケーシングと、画像データを記憶する記憶手段と、該ケーシングにおける外部に露出した部分の一部に、画像の表示状態を無給電状態では維持不可能な給電画像表示手段とを備えた移動体通信端末において、上記記憶手段に記憶された画像データに基づく画像の表示状態を無給電状態でも維持可能な無給電画像表示手段を、上記ケーシングにおける外部に露出した部分の他部の少なくとも一部に有し、該画像データは、上記給電画像表示手段に表示される画像に関連付けられた状態で該記憶手段に記憶されており、該給電画像表示手段に画像が表示されているとき、該記憶手段から該画像に関連付けられた画像データを読み出し、該画像データに基づく画像を該無給電画像表示手段に表示する制御を行う制御手段を有することを特徴とするものである。
この移動体通信端末においても、請求項１の移動体通信端末と同様に、無給電画像表示手段に表示される画像を、ファッション等として認識されるような移動体通信端末の外観デザインとして機能させることが可能となる。しかも、本移動体通信端末は、この無給電画像表示手段とは別個に、公知の移動体通信端末が一般に備えている液晶ディスプレイ等のような給電画像表示手段を備えている。そして、この給電画像表示手段に画像が表示されているとき、この画像に関連づけれた画像データに基づく別の画像が、無給電画像表示手段に表示される。したがって、移動体通信端末の外観デザインを、液晶ディスプレイ等の給電画像表示手段に表示されている画像に関係したものにすることが可能になる。
【００１１】
また、請求項４の発明は、請求項３の移動体通信端末において、上記給電画像表示手段に表示される画像の画像データを外部記憶媒体から取得する際、該外部記憶媒体又は他の外部記憶媒体から、該画像データに関連づけれれた上記無給電画像表示手段に表示される画像の画像データを取得し、これを上記記憶手段に保存する画像データ取得保存手段を有することを特徴とするものである。
この移動体通信端末においては、液晶ディスプレイ等の給電画像表示手段に表示される画像を取得する際、その画像の画像データとともに、この画像を給電画像表示手段に表示しているときに無給電画像表示手段に表示される画像の画像データも取得することができる。これにより、給電画像表示手段に画像が表示されているとき、その画像の提供者が意図する別の画像を移動体通信端末の外観デザインとして適切に表示させることができる。
【００１２】
また、請求項５の発明は、データ記憶手段に記憶されたデータを、通信ネットワークを介して、請求項２の移動体通信端末に送信するサーバ装置において、上記データ記憶手段は、上記特定プログラムのデータとともに、これに関連付けられた状態で上記無給電画像表示手段に表示される画像の画像データを記憶しており、上記移動体通信端末から上記通信ネットワークを介して受信したプログラム取得要求に応じ、該プログラム取得要求に係る特定プログラムのデータ及びこれに関連づけれた画像データを該データ記憶手段から読み出し、これらのデータを該通信ネットワークを介して該移動体通信端末に送信するデータ送信手段を有することを特徴とするものである。
このサーバ装置においては、移動体通信端末からのプログラム取得要求に応じ、その要求に係る特定プログラムだけでなく、この特定プログラムが移動体通信端末で実行されているときにその移動体通信端末の無給電画像表示手段に表示される画像の画像データも送信することができる。これにより、特定プログラムの開発者が意図する画像を、その特定プログラム実行中に移動体通信端末の外観デザインとして適切に表示させることが可能となる。
【００１３】
また、請求項６の発明は、データ記憶手段に記憶されたデータを、通信ネットワークを介して、請求項４の移動体通信端末に送信するサーバ装置において、上記データ記憶手段は、上記給電画像表示手段に表示される画像の画像データとともに、これに関連付けられた状態で上記無給電画像表示手段に表示される画像の画像データを記憶しており、上記移動体通信端末から上記通信ネットワークを介して受信した該給電画像表示手段に表示される画像の画像データについての画像取得要求に応じ、該画像取得要求に係る画像データ及びこれに関連づけれた該無給電画像表示手段に表示される画像の画像データを該データ記憶手段から読み出し、これらのデータを該通信ネットワークを介して該移動体通信端末に送信するデータ送信手段を有することを特徴とするものである。
このサーバ装置においては、移動体通信端末からの画像取得要求に応じ、その要求に係る画像データだけでなく、この画像データに基づく画像が移動体通信端末の給電画像表示手段に表示されているときにその移動体通信端末の無給電画像表示手段に表示される別の画像の画像データも送信することができる。これにより、移動体通信端末の給電画像表示手段に画像が表示されているとき、その画像の提供者が意図する別の画像を移動体通信端末の外観デザインとして適切に表示させることが可能となる。
【００１４】
また、請求項７の発明は、移動体通信システムにおいて、請求項２の移動体通信端末と、これに通信ネットワークを介して接続される請求項５のサーバ装置とから構成されることを特徴とするものである。
この移動体通信システムにおいては、特定プログラムの開発者が意図する画像を、その特定プログラムが移動体通信端末で実行されているときにその移動体通信端末の外観デザインとして適切に表示させることができる。
【００１５】
また、請求項８の発明は、移動体通信システムにおいて、請求項４の移動体通信端末と、これに通信ネットワークを介して接続される請求項６のサーバ装置とから構成されることを特徴とするものである。
この移動体通信システムにおいては、移動体通信端末の給電画像表示手段に画像が表示されているとき、その画像の提供者が意図する別の画像をその移動体通信端末の外観デザインとして適切に表示させることができる。
【００１６】
なお、上記「移動体通信端末」としては、ＰＤＣ（Personal Digital Cellular）方式、ＧＳＭ（Global SYstem for Mobile Communication）方式、ＴＩＡ（Telecommunications IndustrY Association）方式等の携帯電話機、ＩＭＴ（International Mobile Telecommunications）−２０００で標準化された携帯電話機、ＰＨＳ（Personal HandYphone Service）、自動車電話機等が挙げられる。また、この「移動体通信端末」としては、上記電話機のほか、電話機能を有しないＰＤＡ（Personal Digital Assistance）等の移動型の移動体通信端末も挙げられる。
【発明の効果】
【００１７】
以上、請求項１、２、５及び７の発明によれば、移動体通信端末で特定プログラムを実行しているときに、この特定プログラムに関係した画像が移動体通信端末の外観デザインとして表示されるという、移動体通信端末における外観デザインの新たな利用法を提供することが可能になるという優れた効果が奏される。
特に、請求項２、５及び７の発明によれば、特定プログラムの開発者が意図する画像を、その特定プログラム実行中に移動体通信端末の外観デザインとして適切に表示させることが可能になるという優れた効果が奏される。
請求項３、４、６及び８の発明によれば、移動体通信端末の給電画像表示手段に画像が表示されているときに、この画像に関係した別の画像が移動体通信端末の外観デザインとして表示されるという、移動体通信端末における外観デザインの新たな利用法を提供することが可能になるという優れた効果が奏される。
特に、請求項４、６及び８の発明によれば、移動体通信端末の給電画像表示手段に表示される画像の提供者が意図する別の画像を、その移動体通信端末の外観デザインとして適切に表示させることが可能になるという優れた効果が奏される。
【発明を実施するための最良の形態】
【００１８】
以下、本発明の一実施形態を、図面を参照しながら説明する。
図２は、本実施形態に係る移動体通信端末としての携帯電話機が利用可能な移動体通信システムの全体構成を説明するための説明図である。
この移動体通信システムにおいて、ユーザー１が使用する携帯電話機２０は、ユーザー１によって登録されたアプリケーションプログラムを実行可能な構成を有している。本実施形態において、このアプリケーションプログラムは、プラットフォームに依存しないオブジェクト指向プログラミングによって開発されたものである。このようなアプリケーションプログラムとしては、ＪＡＶＡ（サンマイクロシステムズ社の登録商標。以下、同様である。）で記述されたアプリケーションプログラム、ＢＲＥＷ（クアルコム社の登録商標。以下同様。）のアプリケーション実行環境上で動作するアプリケーションプログラムなどが挙げられる。この携帯電話機２０は、通信ネットワークとしての携帯電話通信網１０に接続可能である。また、この携帯電話通信網１０には、サーバ装置としてのコンテンツデータダウンロードサーバ（以下、「ダウンロードサーバ」という。）１１が接続されている。このダウンロードサーバ１１は、携帯電話機２０からのプログラム取得要求であるダウンロード要求を受け付けると、その要求に係る特定プログラムであるアプリケーションプログラムを携帯電話機２０に対して送信する。また、このダウンロードサーバ１１は、携帯電話機２０からの画像取得要求であるダウンロード要求を受け付けると、その要求に係る画像データを携帯電話機２０に対して送信するアプリケーションプログラム提供用のサーバとしても機能する。この画像データは、後述する携帯電話機２０の液晶ディスプレイ（ＬＣＤ）２７や背面ＬＣＤ２９に表示される画像の画像データであり、以下、ＬＣＤ画像データという。
【００１９】
ダウンロードサーバ１１から提供されるアプリケーションプログラムやＬＣＤ画像データは、制作元２から提供される。具体的には、例えば、制作元２側のパーソナルコンピュータ等から、専用回線や公衆回線を介してダウンロードサーバ１１にアップロードして提供する。なお、制作したアプリケーションプログラムやＬＣＤ画像データを記録した光ディスクや磁気ディスク等の記録媒体を、制作元２からダウンロードサーバ１１を管理・運営する通信事業者に送り、その記録媒体内のデータをダウンロードサーバ１１で読み取るようにして、提供してもよい。このようにして提供されたアプリケーションプログラムやＬＣＤ画像データは、携帯電話機２０から携帯電話通信網１０を介してダウンロード可能な状態でダウンロードサーバ１１に登録される。
【００２０】
図３は、上記ダウンロードサーバ１１のハードウェア構成を示す概略構成図である。
このダウンロードサーバ１１は、システムバス１００、ＣＰＵ１０１、内部記憶装置、外部記憶媒体としての外部記憶装置１０４、入力装置１０５及び出力装置１０６を備えている。上記内部記憶装置は、ＲＡＭ１０２やＲＯＭ１０３等で構成されている。上記外部記憶装置は、ハードディスクドライブ（ＨＤＤ）や光ディスクドライブ等で構成されている。上記入力装置１０５は、外部記憶装置１０４、マウスやキーボード等で構成されている。上記出力装置１０６は、ディスプレイやプリンタ等で構成されている。更に、このダウンロードサーバ１１は、携帯電話通信網１０を介して各ユーザー１の携帯電話機２０と通信するための携帯電話通信網用通信装置１０７を備えている。
上記ＣＰＵ１０１やＲＡＭ１０２等の構成要素は、システムバス１００を介して、互いにデータやプログラムの命令等のやり取りを行う。このダウンロードサーバ１１を所定の手順に従って動作させるためのプログラムは、ＲＯＭ１０３や外部記憶装置１０４に記憶されており、必要に応じてＣＰＵ１０１やＲＡＭ１０２上の作業エリアに呼び出されて実行される。また、このダウンロードサーバ１１には、携帯電話機２０に提供するＬＣＤ画像データやアプリケーションプログラムが外部記憶装置１０４に記憶されている。また、この外部記憶装置１０４には、後述する携帯電話機２０のケーシング画像表示パネルに表示されるケーシング画像の画像データ（以下、「ケーシング画像データ」という。）が、上記ＬＣＤ画像データや上記アプリケーションプログラムに関連付けられた状態で記憶されている。ダウンロードサーバ１１は、携帯電話機２０からのダウンロード要求に応じ、ＣＰＵ１０１、ＲＡＭ１０２、携帯電話通信網用通信装置１０７等が協働して、外部記憶装置１０４に記憶されているＬＣＤ画像データやアプリケーションプログラム並びにこれらに関連付けられたケーシング画像データを、携帯電話通信網１０を介して携帯電話機２０に送信する機能を有している。なお、このダウンロードサーバ１１は、専用の制御装置として構成してもいいし、汎用のコンピュータシステムを用いて構成してもよい。また、１台のコンピュータで構成してもいいし、複数の機能をそれぞれ受け持つ複数台のコンピュータをネットワークで結んで構成してもよい。
【００２１】
図４（ａ）は上記携帯電話機２０の外観を示す正面図であり、同図（ｂ）はその携帯電話機２０の背面の一例を示す背面図であり、同図（ｃ）はその携帯電話機２０の背面の他の例を示す背面図である。また、図５は、その携帯電話機２０のハードウェア構成を示す概略構成図である。
この携帯電話機２０は、クラムシェル（折り畳み）タイプの携帯電話機である。この携帯電話機２０は、外壁部を構成するケーシング３０Ａ，３０Ｂの内部に、システムバス２００、ＣＰＵ２０１、ＲＡＭ２０２やＲＯＭ２０３等からなる内部制御装置、入力装置２０４、出力装置２０５、携帯電話通信網用通信装置２０６及び制御手段を構成する表示制御装置２０７を備えている。また、ケーシング３０Ａ，３０Ｂの外部露出部分の一部には、無給電画像表示手段としてのケーシング画像表示パネル（以下、「表示パネル」という。）２０８が設けられている。なお、図４（ｂ）及び（ｃ）中の破線で囲んだ部分は、それぞれ、表示パネル２０８の表示領域Ａ，Ｂを示している。
【００２２】
ＣＰＵ２０１やＲＡＭ２０２等の構成要素は、システムバス２００を介して、互いに各種データや後述のプログラムの命令等のやり取りを行っている。上記入力装置２０４は、データ入力キー（テンキー、＊キー、＃キー）２１、通話開始キー２２、終話キー２３、スクロールキー２４、多機能キー２５、マイク２６などから構成されている。上記出力装置２０５は、給電画像表示手段としての液晶ディスプレイ（ＬＣＤ）２７、スピーカ２８等から構成されている。図４（ｃ）に示すように背面にも給電画像表示手段としてのディスプレイ（背面ＬＣＤ）２９を備えている場合には、この背面ＬＣＤ２９も上記出力装置２０５を構成する。上記携帯電話通信網用通信装置２０６は、携帯電話通信網１０を介して他の携帯電話機や上記ダウンロードサーバ１１と通信するためのものである。また、ＲＡＭ２０２内には、後述する電話機プラットフォームが管理する第１の記憶手段としてのプラットフォーム用記憶領域と、後述するアプリケーション実行環境上で管理される第２の記憶手段としてのアプリケーション用記憶領域とが存在する。
【００２３】
上記表示制御装置２０７は、ケーシング３０Ａ，３０Ｂに設けられた表示パネル２０８に表示される表示画像の表示制御を行うものである。表示制御装置２０７は、この表示制御装置２０７とともに制御手段を構成するＣＰＵから送られてくる表示制御命令に従い、記憶手段としてのＲＡＭ２０２に記憶されているケーシング画像データに基づいて、表示パネル２０８にケーシング画像を表示させる。上記表示制御装置２０７から表示パネル２０８へ出力される電気信号は、ケーシング３０Ａ，３０Ｂに設けられる信号受信手段としての図示しない信号端子から、表示パネル２０８に入力される。表示パネル２０８に電気信号が入力されると、その電気信号に応じたケーシング画像が、表示パネル２０８の表示領域Ａ，Ｂに表示される。
【００２４】
図６は、表示パネル２０８の構成を示すケーシング３０Ａ，３０Ｂの断面図である。
本実施形態における表示パネル２０８は、いわゆる電子ペーパーと呼ばれるもので、ケーシング３０Ａ，３０Ｂ上に貼り付けられている。具体的に説明すると、この表示パネル２０８は、図示のように、透明下基材層３１、画像記録層３２、透明上基材層３３、保護層３４の４層構造となっている。透明下基材層３１の上部すなわち携帯電話機２０の外部側には、下格子電極３５が設けられており、透明上基材層３３の下部すなわち携帯電話機２０の内部側には、上格子電極３６が設けられている。下格子電極３５は、携帯電話機２０の横方向（図４中横方向）に平行に延びる多数の電線で構成されており、各電線の端部は、上記表示制御装置２０７に接続された信号端子に接続されている。また、上格子電極３６は、携帯電話機２０の縦方向（図４中縦方向）に平行に延びる多数の電線で構成されており、各電線の端部も同様に上記信号端子に接続されている。このように、下格子電極３５及び上格子電極３６は、表示パネル２０８の表示領域Ａ，Ｂの全域にわたって、その電線が延びる方向が互いに直交するように配置されている。そして、表示制御装置２０７から適切なＯＮ／ＯＦＦタイミングの電気信号を入力することで、表示領域Ａ，Ｂの任意の地点における下格子電極３５の電線と上格子電極３６の電線との間の電位差を制御できる。
【００２５】
上記画像記録層３２としては、下格子電極３５と上格子電極３６との間に印加される電位差によってその地点の可視状態を制御することが可能であって、表示制御装置２０７から電気信号の入力がなくなっても、その可視状態が維持されるものを利用することができる。
例えば、透明なマイクロカプセル内に多数の白色粒子及び黒色粒子を封入し、これを下格子電極３５の電線と上格子電極３６の電線とが互いに交差する全ての地点（画素点）に配置したものを、上記画像記録層３２として用いることができる。この場合、各マイクロカプセル内の白色粒子と黒色粒子は互いに逆極性に帯電している。本実施形態では、白色粒子として負極性帯電物質を用い、黒色粒子として正極性帯電物質を用いている。よって、表示制御装置２０７から電気信号を入力して、ある画素点における下格子電極３５の電位を負極性とし上格子電極３６の電位を正極性とした場合、その画素点のマイクロカプセル内では黒色粒子が上格子電極３６側へ電気泳動し、白色粒子が下格子電極３５側へ電気泳動する。その結果、この画素点を携帯電話機２０の外部から見たとき、その画素点は黒色に見える。逆に、下格子電極３５の電位を正極性とし上格子電極３６の電位を負極性とした場合の画素点は、白色に見える。このような表示制御を表示領域Ａ，Ｂの全域にわたって行うことで、その表示領域Ａ，Ｂに所望のモノクロ画像を表示させることができる。しかも、各マイクロカプセル内の黒色粒子と白色粒子の配置は、表示制御装置２０７からの電気信号の入力がなくなっても維持される。したがって、本表示パネル２０８は、一旦表示した画像を無給電状態であってもそのまま維持することができる。また、表示制御装置２０７から入力される電気信号に応じて、多階調のモノクロ画像を表示させることもできる。
【００２６】
なお、本実施形態では、モノクロ画像について説明したが、カラー画像を表示させることも可能である。カラー画像を表示させる具体例としては、上記透明上基材層３３と上記保護層３４との間にカラーフィルタ層を設けたものが挙げられる。このカラーフィルタ層としてＲ（赤）、Ｇ（緑）、Ｂ（青）の３色のフィルターを用いた場合、下格子電極３５の電線と上格子電極３６の電線とが互いに交差する地点のうち、互いに隣接する３つの地点を１つの画素として取り扱う。そして、この３つの地点にそれぞれＲ、Ｇ、Ｂのフィルタ部分が対向するように、カラーフィルタ層を設ける。これにより、例えばある画素を赤色とする場合には、Ｒフィルタ部分に対向するマイクロカプセルについては白色粒子が上格子電極３６側へ電気泳動し、Ｇフィルタ部分及びＢフィルタ部分に対向するマイクロカプセルについては黒色粒子が上格子電極３６側へ電気泳動するような、電気信号を入力する。
また、本発明で用いることができる表示パネル２０８としては、表示画像を切替可能でかつ無給電状態でも表示画像の表示状態を維持可能なものであれば、その他の公知の電子ペーパーなども利用することができる。
【００２７】
図７は、上記携帯電話機２０の主要部を抽出して示したブロック図であり、図８は、その携帯電話機２０におけるソフトウェア構造の説明図である。
この携帯電話機２０は、無線通信手段としての電話通信部２１１及びデータ通信部２１２、操作手段としての操作部２１３、アプリケーションプログラム実行手段としてのアプリケーションプログラム実行管理部２１４、主制御部２１５、出力部２１６、ケーシング画像表示部２１７等を備えている。
【００２８】
上記電話通信部２１１は、他の携帯電話機や固定電話機と電話通信を行うために、携帯電話通信網１０の基地局と無線通信を行うものであり、上述のハードウェア構成上の携帯電話通信網用通信装置２０６等に対応する。
上記データ通信部２１２は、上記電話通信部２１１と同様に、上述のハードウェア構成上の携帯電話通信網用通信装置２０６等に対応する。このデータ通信部２１２は、携帯電話通信網１０を介して他の携帯電話機とメールのやり取りを行ったり、携帯電話通信網１０からゲートウェイサーバを介して、インターネット等の外部の通信ネットワークに接続し、インターネット上での電子メールのやり取りやＷｅｂページの閲覧等を行ったりするためのものである。また、このデータ通信部２１２は、携帯電話通信網１０を介して、ダウンロードサーバ１１が提供するＬＣＤ画像データやアプリケーションプログラム及びケーシング画像データをダウンロードするためにも用いられる。
上記操作部２１３は、ユーザー１が操作可能な上述のテンキー２１、通話開始キー２２、終話キー２３等で構成されている。この操作部２１３を操作することにより、ユーザーは、携帯電話機２０に対してＵＲＬ等のデータを入力したり、電話着信の際に通話の開始及び終了を行ったり、アプリケーションプログラムの選択、起動及び停止を行ったりすることができる。また、ユーザーは操作部２１３を操作することにより、上記ダウンロードサーバ１１からＬＣＤ画像データやアプリケーションプログラム及びケーシング画像データをダウンロードすることもできる。
【００２９】
上記アプリケーションプログラム実行管理部２１４は、上述のシステムバス２００、ＣＰＵ２０１やＲＡＭ２０２の一部等で構成されている。このアプリケーションプログラム実行管理部２１４は、図８のソフトウェア構造上において中央の「アプリケーション実行環境」に対応しており、オブジェクト指向プログラミングで開発されたアプリケーションプログラムに利用されるクラスライブラリ、実行環境管理ライブラリ、アプリケーション管理等のソフトウェアを提供し、アプリケーションプログラムの実行環境を管理する。このアプリケーション実行環境は、実行するアプリケーションプログラムに応じて適宜選定される。例えば、実行するアプリケーションプログラムがＪＡＶＡで記述されたものである場合には、ＪＡＶＡのアプリケーション実行環境を選定する。また、実行するアプリケーションプログラムがＢＲＥＷの実行環境上で動作するＣ言語で記述されたものである場合には、ＢＲＥＷのアプリケーション実行環境を選定する。なお、実行するアプリケーションプログラムがＪＡＶＡで記述されたものである場合には、ＢＲＥＷのアプリケーション実行環境上に更にＪＡＶＡのアプリケーション実行環境を構築することで、これを実行することができる。
ここで、アプリケーションプログラムは、クラスライブラリＡＰＩ（アプリケーションインターフェース）を介して上記アプリケーション実行環境内にある関数等のクラスライブラリを呼び出して使用できるようになっている。この関数等のクラスライブラリの呼び出しの履歴は、アプリケーションプログラムの仮想的な実行環境（仮想マシン：ＶＭ）が終了するまで、ＲＡＭ２０２内におけるアプリケーション用記憶領域に記憶される。また、アプリケーション実行環境は、アプリケーションプログラムの実行に際して用いる各種データも、そのアプリケーション用記憶領域に保存する。そして、この各種データを用いるときには、このアプリケーション用記憶領域から読み出したり、書き込んだりする。また、アプリケーション実行環境内の実行環境管理ライブラリは、電話機プラットフォームＡＰＩを介して後述の電話機プラットフォーム内の電話機プラットフォームライブラリを呼び出して使用できるようになっている。
【００３０】
上記主制御部２１５は、上記電話通信部２１１、データ通信部２１２、操作部２１３、出力部２１６、ケーシング画像表示部２１７を制御するものであり、上述のシステムバス２００、ＣＰＵ２０１やＲＡＭ２０２等で構成されている。この主制御部２１５は、アプリケーションプログラム実行管理部２１４との間で制御命令や各種データのやりとりを行い、これらと協働して制御を行う。主制御部２１５は、図８のソフトウェア構造上において最下部の「電話機プラットフォーム」に対応しており、上記電話通信部２１１等を制御するための制御用プログラムやユーザインターフェースを実行したり、電話機プラットフォームライブラリを提供したりする。この電話機プラットフォームは、上記アプリケーション実行環境内の実行環境管理ライブラリに対してイベントを送ることにより、アプリケーションプログラムにおいて各種処理を実行したり、アプリケーション管理ＡＰＩを介して上記アプリケーション実行環境内のアプリケーション管理のソフトウェアを呼び出して使用したりできるようになっている。また、アプリケーション実行環境が電話機プラットフォームＡＰＩを介して電話機プラットフォームライブラリを呼び出して使用したとき、電話機プラットフォームは、その電話機プラットフォームライブラリに応じた処理を実行する。例えば、電話機プラットフォームは、電話機プラットフォームライブラリを利用したアプリケーション実行環境からの指示に基づき、ＲＡＭ２０２内における電話機プラットフォームが管理するプラットフォーム用記憶領域に記憶されたデータを読み出して、これをアプリケーション用記憶領域に移行することができる。
【００３１】
上記出力部２１６は、上述のＬＣＤ２７、スピーカ２８、図４（ｃ）に示した携帯電話機の場合には背面ＬＣＤ２９等からなる出力装置２０５等で構成されている。この出力部２１６は、上記データ通信部２１２で受信したＷｅｂページ画面をＬＣＤ２７に表示する。また、この出力部２１６のＬＣＤ２７や背面ＬＣＤ２９は、上記電話通信部２１１やデータ通信部２１２で情報を着信した旨をユーザーに報知するときに用いられる。具体的には、その情報を着信すると、主制御部２１５により、出力部２１６のＬＣＤ２７や背面ＬＣＤ２９に着信報知画像を表示したり、スピーカ２８から着信音を出力させたりする。更に、この出力部２１６は、アプリケーション実行環境で実行されるアプリケーションプログラムの実行中に、そのプログラム実行に関連したメニュー画面等の表示や音楽の出力にも用いられる。
【００３２】
上記ケーシング画像表示部２１７は、上述の表示制御装置２０７、表示パネル２０８等で構成されている。このケーシング画像表示部２１７は、上記主制御部２１５の制御の下で動作し、表示パネル２０８にケーシング画像を表示する。具体的には、あるケーシング画像を表示する場合、主制御部２１５は、そのケーシング画像の画像データをＲＡＭ２０２から読み出し、ケーシング画像表示部２１７に対してこの画像データに基づく表示制御命令を出力する。この表示制御命令を受けたケーシング画像表示部２１７は、その画像データに基づくケーシング画像を表示パネル２０８に表示させるための電気信号を表示制御装置２０７から表示パネル２０８へ出力する。そして、表示パネル２０８にケーシング画像が表示されたら、電気信号を出力を停止する。
【００３３】
なお、携帯電話機２０を所定の手順に従って動作させる電話機プラットフォームを構築するための制御用プログラムは、ＲＡＭ２０２やＲＯＭ２０３に記憶されている。また、基本ＯＳ（オペレーティングシステム）のプログラムや、上記アプリケーション実行環境を構築するためのプログラム及びアプリケーションプログラムも、ＲＡＭ２０２やＲＯＭ２０３に記憶されている。そして、これらのプログラムは、必要に応じてＣＰＵ２０１やＲＡＭ２０２中の作業エリアに呼び出されて実行される。
【００３４】
表示パネル２０８に表示されているケーシング画像を別のケーシング画像へ切り替える場合、まず、ユーザー１は、操作部２１３のキーを操作して、これから表示させるケーシング画像を選択するためのケーシング画像選択画面をＬＣＤ２７上に表示させる。そして、このケーシング画像選択画面において、ユーザー１が希望するケーシング画像をスクロールキー２４を用いて選択し、多機能キー２５を押下する。すると、その操作内容が主制御部２１５に入力され、主制御部２１５は、ユーザー１が選択したケーシング画像の画像データをＲＡＭ２０２から読み出し、ケーシング画像表示部２１７に対してこの画像データに基づく表示制御命令を出力する。この表示制御命令を受けたケーシング画像表示部２１７は、その画像データに基づくケーシング画像を表示パネル２０８に表示させるための電気信号を表示制御装置２０７から表示パネル２０８へ出力した後、その電気信号を出力を停止する。これにより、表示パネル２０８に表示されていたケーシング画像を、ユーザー１が希望する別のケーシング画像に切り替えることができる。
【００３５】
〔動作例１〕
次に、アプリケーションプログラム実行管理部２１４でアプリケーションプログラムが実行されているとき、このプログラムに関係したケーシング画像を携帯電話機２０の表示パネル２０８に表示させるための一動作例（以下、本動作例を「動作例１」という。）について説明する。
【００３６】
図１は、本動作例１における制御の流れを示すフローチャートである。
まず、ユーザー１は、特定プログラムであるアプリケーションプログラムを上記ダウンロードサーバ１１からダウンロードして取得し、これを登録する（Ｓ１）。具体的には、図９に示すように、ダウンロードサーバ１１からアプリケーションプログラムをダウンロードする場合、まず、ユーザーは、操作部２１３のキーを操作し、ブラウザを起動して閲覧先のＵＲＬを入力する。そうすると、ブラウザを実行する主制御部２１５は、そのＵＲＬによって特定されるダウンロードサーバ１１に対してリクエストを送信する。このリクエストを受けたダウンロードサーバ１１は、そのリクエストの送信元である携帯電話機２０に向けて、そのリクエストに係るアプリケーションリストをレスポンスとして送信する。その後、ユーザーは、操作部２１３のキーを操作して、ＬＣＤ２７上に表示されたアプリケーションリストの中から、自分が希望するアプリケーションプログラムを選択する。すると、主制御部２１５は、その選択結果をデータ通信部２１２を介してリクエスト（プログラム取得要求）とともにダウンロードサーバ１１へ送信する。このリクエストを受けたダウンロードサーバ１１は、そのリクエストに係るアプリケーションプログラムを、レスポンスとして携帯電話機２０に向けて送信する。
【００３７】
本動作例１において、アプリケーションプログラムには、そのアプリケーション本来のメインプログラム部分に加え、上記主制御部２１５を介して表示パネル２０８にケーシング画像を表示させるための表示制御プログラム部分も含まれている。そして、このアプリケーションプログラムをダウンロードする際には、図９に示すように、このアプリケーションプログラム中の制御表示プログラム部分が利用するケーシング画像データもレスポンスの中に含まれ、アプリケーションプログラムと一緒にダウンロードされる。このレスポンスを受信した携帯電話機２０の主制御部２１５は、そのレスポンスに含まれるアプリケーションプログラム及びケーシング画像データをＲＡＭ２０２に保存する。このとき、ケーシング画像データは、そのアプリケーションプログラムに関連付けられた状態で保存される。なお、本動作例１では、データ通信部２１２及び主制御部２１５によってデータ取得手段が構成され、主制御部２１５によってデータ保存手段が構成されている。以下の動作例についても同様である。
【００３８】
このようにダウンロードしたアプリケーションプログラムを実行する場合、ユーザー１は、操作部２１３のキーを操作して、実行するアプリケーションプログラムを選択し、実行指示操作を行う（Ｓ２）。すると、図８に示した電話機プラットフォームすなわち図７に示した主制御部２１５に、アプリケーションプログラムの実行指示が入力される。これにより、主制御部２１５は、ダウンロードしたアプリケーションプログラムを読み出してこれを起動する（Ｓ３）。本動作例１においては、アプリケーションプログラムが起動すると、図８に示したアプリケーション実行環境すなわち図７に示したアプリケーションプログラム実行管理部２１４上で、そのアプリケーションプログラムが動作する。その結果、このアプリケーションプログラムのメインプログラム部分の内容に従ったアプリケーションが、携帯電話機２０のユーザー１に提供される（Ｓ４）。
【００３９】
更に、本動作例１においては、アプリケーションプログラムが起動すると、その表示制御プログラム部分の内容に従ってアプリケーションプログラム実行管理部２１４に対して表示制御命令が送られる。これにより、アプリケーションプログラム実行管理部２１４は、電話機プラットフォームの主制御部２１５に対して表示制御命令を送る。これを受けた主制御部２１５は、その表示制御命令に係るケーシング画像データをＲＡＭ２０２から読み出す（Ｓ５）。このケーシング画像データは、上記アプリケーションプログラムのダウンロードの際に一緒にダウンロードされてＲＡＭ２０２に記憶されたものである。その後、主制御部２１５は、上記と同様に、ケーシング画像表示部２１７に対してこのケーシング画像データに基づく表示制御命令を出力する。これにより、表示パネル２０８に表示されているケーシング画像が、アプリケーションプログラムのメインプログラム部分の内容に関係した別のケーシング画像へ切り替わる（Ｓ６）。
【００４０】
以上、本動作例１によれば、アプリケーションプログラムの実行中に、携帯電話機の外観デザインをそのメインプログラム部分の内容に関係したものとすることができる。例えば、メインプログラムの内容が、宇宙空間で戦闘機を操縦して敵機を撃沈させるシューティングゲームの場合、宇宙空間を表すようなケーシング画像を表示して外観デザインをそのゲーム内容に関連したものとすることができる。
【００４１】
〔動作例２〕
次に、待ち受け画像や壁紙画像がＬＣＤ２７や背面ＬＣＤ２９に表示されているとき、この画像に関係したケーシング画像を携帯電話機２０の表示パネル２０８に表示させるための一動作例（以下、本動作例を「動作例２」という。）について説明する。なお、以下の説明では、待ち受け画像について説明するが、ＬＣＤ２７や背面ＬＣＤ２９に表示される画像であれば、どのような画像であっても同様である。
【００４２】
図１０は、本動作例２における制御の流れを示すフローチャートである。
まず、ユーザー１は、上記アプリケーションプログラムをダウンロードする場合と同様に、待ち受け画像の待ち受け画像データを上記ダウンロードサーバ１１からダウンロードして取得し、これを登録する（Ｓ１１）。具体的には、図１１に示すように、ブラウザを実行する主制御部２１５からダウンロードサーバ１１に対してリクエストが送信されると、ダウンロードサーバ１１はそのリクエストに係る待ち受け画像リストをレスポンスとして送信する。その後、ユーザーは、操作部２１３のキーを操作して、ＬＣＤ２７上に表示された待ち受け画像リストの中から、自分が希望する待ち受け画像を選択する。すると、主制御部２１５は、その選択結果をデータ通信部２１２を介してリクエスト（画像取得要求）とともにダウンロードサーバ１１へ送信する。このリクエストを受けたダウンロードサーバ１１は、そのリクエストに係る待ち受け画像データを、レスポンスとして携帯電話機２０に向けて送信する。本動作例２においては、待ち受け画像データをダウンロードする際に、図１１に示すように、その待ち受け画像に関係するケーシング画像のケーシング画像データもレスポンスの中に含まれ、待ち受け画像データと一緒にダウンロードされる。このレスポンスを受信した携帯電話機２０の主制御部２１５は、そのレスポンスに含まれる待ち受け画像データ及びケーシング画像データをＲＡＭ２０２に保存する。このとき、ケーシング画像データは、その待ち受け画像データに関連付けられた状態で保存される。
【００４３】
このようにダウンロードした待ち受け画像データに基づく待ち受け画像をＬＣＤ２７や背面ＬＣＤ２９に表示させる場合、ユーザー１は、操作部２１３のキーを操作して、待ち受け画像変更画面を呼び出し（Ｓ１２）、ダウンロードした待ち受け画像を選択する（Ｓ１３）。すると、図８に示した電話機プラットフォームすなわち図７に示した主制御部２１５に、選択された待ち受け画像の表示指示が入力される。これにより、主制御部２１５は、その表示指示に係る待ち受け画像データをＲＡＭ２０２から読み出し、出力部２１６を介して、その待ち受け画像データに基づく待ち受け画像をＬＣＤ２７や背面ＬＣＤ２９に表示する制御を行う（Ｓ１４）。
【００４４】
更に、本動作例２においては、この待ち受け画像データに関連付けられたケーシング画像データも、ＲＡＭ２０２から読み出す（Ｓ１５）。このケーシング画像データは、上記待ち受け画像データのダウンロードの際に一緒にダウンロードされてＲＡＭ２０２に記憶されたものである。その後、主制御部２１５は、上記と同様に、ケーシング画像表示部２１７に対してこのケーシング画像データに基づく表示制御命令を出力する。これにより、表示パネル２０８に表示されているケーシング画像が、待ち受け画像の内容に関係した別のケーシング画像へ切り替わる（Ｓ１６）。
【００４５】
以上、本動作例２によれば、ユーザー１が選択した待ち受け画像がＬＣＤ２７や背面ＬＣＤ２９に表示されているとき、携帯電話機の外観デザインをその待ち受け画像の内容に関係したものとすることができる。例えば、待ち受け画像がプロ野球チームのマークである場合、そのチームのユニフォームと同じようなケーシング画像を表示して外観デザインをその待ち受け画像に関連したものとすることができる。
【００４６】
上述した実施形態においては、携帯電話機２０のケーシングにおける外部露出部分に設けられた表示パネルに表示されるケーシング画像を、ユーザーが操作部２１３のキーに対して所定の操作を行うだけで、別のケーシング画像に切り替えることができる。しかも、表示パネルに表示されたケーシング画像は、無給電状態でもその表示状態が維持される。したがって、ユーザーは、従来のように交換用部品に交換するような煩雑な作業を行うことなく、操作部２１３のキー操作により携帯電話機２０の外観デザインを簡単に変更することもできる。  なお、上述した実施形態では、アプリケーションプログラムや待ち受け画像データ及びケーシング画像データを、携帯電話通信網１０を介してダウンロードサーバ１１から取得する場合を例に挙げたが、他の取得方法であってもよい。例えば、携帯電話機２０に対して着脱可能なメモリーカード等の外部記憶媒体から画像データを読み出して取得する方法が挙げられる。この外部記憶媒体の具体例としては、ＳＤメモリーカード、ＣＦ（コンパクトフラッシュ：登録商標）メモリーカード、スマートメディア、メモリースティック、ＭＭＣ（マルチメディアカード）等が挙げられる。
また、上述した実施形態では、ケーシング画像をこれに関係したアプリケーションプログラムや待ち受け画像データと一緒に取得する場合について説明したが、これらを別々に取得するようにしてもよい。例えば、携帯電話機２０が小型カメラ等の撮像手段を備えている場合には、その撮像手段で撮像することでケーシング画像の画像データを取得することも可能である。別々に取得したアプリケーションプログラムや待ち受け画像データとケーシング画像は、その取得後、互いに関連付けてＲＡＭ２０２に保存すればよい。
また、本発明は、携帯電話機のほか、ＰＨＳ、自動車電話機等の電話機、携帯型のＰＤＡの場合についても適用でき、同様な効果が得られるものである。
【図面の簡単な説明】
【００４７】
【図１】実施形態の移動体通信システムを構成する携帯電話機の動作例１における制御の流れを示すフローチャート。
【図２】同移動体通信システムの全体構成を説明するための説明図。
【図３】同移動体通信システムを構成するダウンロードサーバのハードウェア構成を示す概略構成図。
【図４】（ａ）は同携帯電話機の外観を示す正面図。（ｂ）は同携帯電話機の背面の一例を示す背面図。（ｃ）は同携帯電話機の背面の他の例を示す背面図。
【図５】同携帯電話機のハードウェア構成を示す概略構成図。
【図６】同携帯電話機の表示パネルの構成を示すケーシングの断面図。
【図７】同携帯電話機の主要部を抽出して示したブロック図。
【図８】同携帯電話機におけるソフトウェア構造の説明図。
【図９】動作例１におけるアプリケーションプログラム取得のシーケンスフロー図。
【図１０】動作例２における制御の流れを示すフローチャート。
【図１１】動作例２における待ち受け画像取得のシーケンスフロー図。
【符号の説明】
【００４８】
１０  携帯電話通信網
１１  ダウンロードサーバ
２０  携帯電話機
２７  ＬＣＤ
２９  背面ＬＣＤ
３０Ａ，３０Ｂ  ケーシング
３１  透明下基材層
３２  画像記録層
３３  透明上基材層
３４  保護層
３５  下格子電極
３６  上格子電極
２０７  表示制御装置
２０８  表示パネル
２１４  アプリケーションプログラム実行管理部
２１５  主制御部
２１７  ケーシング画像表示部
【図１】
2005210322.tif 000003
【図２】
2005210322.tif 000004
【図３】
2005210322.tif 000005
【図４】
2005210322.tif 000006
【図５】
2005210322.tif 000007
【図６】
2005210322.tif 000008
【図７】
2005210322.tif 000009
【図８】
2005210322.tif 000010
【図９】
2005210322.tif 000011
【図１０】
2005210322.tif 000012
【図１１】
2005210322.tif 000013